【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
ビデオ情報を復号する方法であって、
エンハンスメントレイヤを備えるビットストリームを受信することと、
フラグの値に基づいて、前記エンハンスメントレイヤのための参照レイヤが前記ビットストリームの中に含まれるかどうかを決定することと、
前記参照レイヤが前記ビットストリームの中に含まれるかどうかに基づいて、復号ピクチャバッファのための１つまたは複数のパラメータの値を推定することと、ここにおいて、前記１つまたは複数のパラメータは、復号されるべき最上位の時間サブレイヤ用の前記復号ピクチャバッファの最大サイズをシグナリングするパラメータを備え、前記参照レイヤが前記ビットストリームの中に含まれるかどうかに基づいて、前記最上位の時間サブレイヤ用の前記復号ピクチャバッファの前記最大サイズをシグナリングする前記パラメータの前記値を推定することは、前記参照レイヤが前記ビットストリームの中に含まれない場合、前記最上位の時間サブレイヤ用の前記復号ピクチャバッファの前記最大サイズをシグナリングする前記パラメータの前記値が０の値を有するべきと決定することを備える、
前記復号ピクチャバッファのための前記１つまたは複数のパラメータの前記推定された値を使用して、前記エンハンスメントレイヤを復号することと
を備える方法。
【請求項２】
前記参照レイヤが、アドバンストビデオコーディング（ＡＶＣ）コーデックに従ってコーディングされる、請求項１に記載の方法。
【請求項３】
前記参照レイヤが前記ビットストリームの中に含まれるかどうかを決定することは、前記参照レイヤが前記ビットストリームの中に含まれるかどうかを、ビデオパラメータセット、シーケンスパラメータセット、ピクチャパラメータセット、または適応パラメータセットのうちの１つの中に含まれるフラグの値に基づいて決定することを備える、請求項１に記載の方法。
【請求項４】
前記１つまたは複数のパラメータが、最大レイテンシをシグナリングするパラメータを備える、請求項１に記載の方法。
【請求項５】
前記１つまたは複数のパラメータが、出力ピクチャの最大リオーダーをシグナリングするパラメータを備える、請求項１に記載の方法。
【請求項６】
ビデオ情報を符号化する方法であって、
エンハンスメントレイヤを備えるビットストリームを受信することと、
フラグの値に基づいて、前記エンハンスメントレイヤのための参照レイヤが前記ビットストリームの中に含まれるかどうかを決定することと、
前記参照レイヤが前記ビットストリームの中に含まれるかどうかに基づいて、復号ピクチャバッファのための１つまたは複数のパラメータの値を推定することと、ここにおいて、前記１つまたは複数のパラメータは、復号されるべき最上位の時間サブレイヤ用の前記復号ピクチャバッファの最大サイズをシグナリングするパラメータを備え、前記参照レイヤが前記ビットストリームの中に含まれるかどうかに基づいて、前記最上位の時間サブレイヤ用の前記復号ピクチャバッファの前記最大サイズをシグナリングする前記パラメータの前記値を推定することは、前記参照レイヤが前記ビットストリームの中に含まれない場合、前記最上位の時間サブレイヤ用の前記復号ピクチャバッファの前記最大サイズをシグナリングする前記パラメータの前記値が０の値を有するべきと決定することを備える、
前記復号ピクチャバッファのための前記１つまたは複数のパラメータの前記推定された値を使用して、前記エンハンスメントレイヤを符号化することと
を備える方法。
【請求項７】
ビデオ情報を復号するように構成された装置であって、
前記ビデオ情報を記憶するように構成されたメモリと、
前記メモリと通信しているプロセッサとを備え、前記プロセッサは、
エンハンスメントレイヤを備えるビットストリームを受信することと、
フラグの値に基づいて、前記エンハンスメントレイヤのための参照レイヤが前記ビットストリームの中に含まれるかどうかを決定することと、
前記参照レイヤが前記ビットストリームの中に含まれるかどうかに基づいて、復号ピクチャバッファのための１つまたは複数のパラメータの値を推定することと、ここにおいて、前記１つまたは複数のパラメータは、復号されるべき最上位の時間サブレイヤ用の前記復号ピクチャバッファの最大サイズをシグナリングするパラメータを備え、前記参照レイヤが前記ビットストリームの中に含まれるかどうかに基づいて、前記最上位の時間サブレイヤ用の前記復号ピクチャバッファの前記最大サイズをシグナリングする前記パラメータの前記値を推定することは、前記参照レイヤが前記ビットストリームの中に含まれない場合、前記最上位の時間サブレイヤ用の前記復号ピクチャバッファの前記最大サイズをシグナリングする前記パラメータの前記値が０の値を有するべきと決定することを備える、
前記復号ピクチャバッファのための前記１つまたは複数のパラメータの前記推定された値を使用して、前記エンハンスメントレイヤを復号することと
を行うように構成される、
装置。
【請求項８】
ビデオ情報を符号化するように構成された装置であって、
前記ビデオ情報を記憶するように構成されたメモリと、
前記メモリと通信しているプロセッサとを備え、前記プロセッサは、
第１のコーデックを使用して符号化されるべきエンハンスメントレイヤを備えるビットストリームを受信することと、
フラグの値に基づいて、前記エンハンスメントレイヤのための参照レイヤが前記ビットストリームの中に含まれるかどうかを決定することと、
前記参照レイヤが前記ビットストリームの中に含まれるかどうかに基づいて、復号ピクチャバッファのための１つまたは複数のパラメータの値を推定することと、ここにおいて、前記１つまたは複数のパラメータは、復号されるべき最上位の時間サブレイヤ用の前記復号ピクチャバッファの最大サイズをシグナリングするパラメータを備え、前記参照レイヤが前記ビットストリームの中に含まれるかどうかに基づいて、前記最上位の時間サブレイヤ用の前記復号ピクチャバッファの前記最大サイズをシグナリングする前記パラメータの前記値を推定することは、前記参照レイヤが前記ビットストリームの中に含まれない場合、前記最上位の時間サブレイヤ用の前記復号ピクチャバッファの前記最大サイズをシグナリングする前記パラメータの前記値が０の値を有するべきと決定することを備える、
前記復号ピクチャバッファのための前記１つまたは複数のパラメータの前記推定された値を使用して、前記ビデオ情報を符号化することと
を行うように構成される、
装置。
【請求項９】
実行されたとき、装置に、請求項１〜請求項６に記載の方法を実行させるコードを備える非一時的コンピュータ可読媒体。
【手続補正２】
【補正対象書類名】明細書
【補正対象項目名】０２４０
【補正方法】変更
【補正の内容】
【０２４０】
[00243]本発明の様々な実施形態について説明した。これらおよび他の実施形態は、以下の特許請求の範囲内に入る。
以下に本願の出願当初の特許請求の範囲に記載された発明を付記する。
[Ｃ１]  ビデオ情報をコーディングする方法であって、
参照レイヤがビットストリームの中に含まれるかどうかを決定することと、
復号ピクチャバッファのための１つまたは複数のパラメータの表示を、前記参照レイヤが前記ビットストリームの中に含まれるかどうかに基づいて決定することと、
前記復号ピクチャバッファのための前記１つまたは複数のパラメータの前記決定された表示に少なくとも部分的に基づいて、前記ビデオ情報をコーディングすることと
を備える方法。
[Ｃ２]  前記参照レイヤが、非ＨＥＶＣ（高効率ビデオコーディング）コーデックに従ってコーディングされる、Ｃ１に記載の方法。
[Ｃ３]  前記参照レイヤが、アドバンストビデオコーディング（ＡＶＣ）コーデックに従ってコーディングされる、Ｃ１に記載の方法。
[Ｃ４]  前記参照レイヤが前記ビットストリームの中に含まれるかどうかを決定することは、前記参照レイヤが前記ビットストリームの中に含まれるかどうかを、ビデオパラメータセット、シーケンスパラメータセット、ピクチャパラメータセット、または適応パラメータセットのうちの１つの中に含まれる値に基づいて決定することを備える、Ｃ１に記載の方法。
[Ｃ５]  前記１つまたは複数のパラメータが、復号されるべき最上位の時間サブレイヤ用の前記復号ピクチャバッファの最大サイズをシグナリングするパラメータを備える、Ｃ１に記載の方法。
[Ｃ６]  前記最上位の時間サブレイヤ用の前記復号ピクチャバッファの前記最大サイズをシグナリングする前記パラメータの前記表示を、前記参照レイヤが前記ビットストリームの中に含まれるかどうかに基づいて決定することは、前記参照レイヤが前記ビットストリームの中に含まれない場合、前記最上位の時間サブレイヤ用の前記復号ピクチャバッファの前記最大サイズをシグナリングする前記パラメータの前記表示が０の値を有するべきと決定することを備える、Ｃ５に記載の方法。
[Ｃ７]  前記１つまたは複数のパラメータが、最大レイテンシをシグナリングするパラメータを備える、Ｃ１に記載の方法。
[Ｃ８]  前記１つまたは複数のパラメータが、出力ピクチャの最大リオーダーをシグナリングするパラメータを備える、Ｃ１に記載の方法。
[Ｃ９]  １つまたは複数のパラメータの前記表示を備える１つまたは複数のシンタックス要素を前記ビットストリームの中で生成することをさらに備え、ここにおいて、ビデオ情報をコーディングすることが、ビデオ情報を符号化することのうちの少なくとも１つを備える、Ｃ１に記載の方法。
[Ｃ１０]  １つまたは複数のパラメータの前記表示を決定することが、１つまたは複数のシンタックス要素を前記ビットストリームから復号することを備え、ここにおいて、ビデオ情報をコーディングすることが、前記ビデオ情報を復号することを備える、Ｃ１に記載の方法。
[Ｃ１１]  ビデオ情報をコーディングするように構成された装置であって、
ビットストリームに関連付けられたビデオ情報を記憶するように構成されたメモリと、
前記メモリと通信しているプロセッサとを備え、前記プロセッサは、
参照レイヤが前記ビットストリームの中に含まれるかどうかを決定することと、
復号ピクチャバッファのための１つまたは複数のパラメータの表示を、前記参照レイヤが前記ビットストリームの中に含まれるかどうかに基づいて決定することと、
前記復号ピクチャバッファのための前記１つまたは複数のパラメータの前記決定された表示に少なくとも部分的に基づいて、前記ビデオ情報をコーディングすることとを行うように構成される、
装置。
[Ｃ１２]  前記参照レイヤが、非ＨＥＶＣ（高効率ビデオコーディング）コーデックに従ってコーディングされる、Ｃ１１に記載の装置。
[Ｃ１３]  前記参照レイヤが、アドバンストビデオコーディング（ＡＶＣ）コーデックに従ってコーディングされる、Ｃ１１に記載の装置。
[Ｃ１４]  前記プロセッサは、前記参照レイヤが前記ビットストリームの中に含まれるかどうかを、ビデオパラメータセット、シーケンスパラメータセット、ピクチャパラメータセット、または適応パラメータセットのうちの１つの中に含まれる値に基づいて決定することを介して、前記参照レイヤが前記ビットストリームの中に含まれるかどうかを決定するように構成される、Ｃ１１に記載の装置。
[Ｃ１５]  前記１つまたは複数のパラメータが、復号されるべき最上位の時間サブレイヤ用の前記復号ピクチャバッファの最大サイズをシグナリングするパラメータを備える、Ｃ１１に記載の装置。
[Ｃ１６]  前記プロセッサは、前記参照レイヤが前記ビットストリームの中に含まれない場合、前記最上位の時間サブレイヤ用の前記復号ピクチャバッファの前記最大サイズをシグナリングする前記パラメータの前記表示が０の値を有するべきと決定することを介して、前記最上位の時間サブレイヤ用の前記復号ピクチャバッファの前記最大サイズをシグナリングする前記パラメータの前記表示を、前記参照レイヤが前記ビットストリームの中に含まれるかどうかに基づいて決定するように構成される、Ｃ１５に記載の装置。
[Ｃ１７]  前記１つまたは複数のパラメータが、最大レイテンシをシグナリングするパラメータを備える、Ｃ１１に記載の装置。
[Ｃ１８]  前記１つまたは複数のパラメータが、出力ピクチャの最大リオーダーをシグナリングするパラメータを備える、Ｃ１１に記載の装置。
[Ｃ１９]  前記プロセッサは、１つまたは複数のパラメータの前記表示を備える１つまたは複数のシンタックス要素を前記ビットストリームの中で生成するように構成されたビデオエンコーダを備え、ここにおいて、前記プロセッサが、前記ビデオ情報を符号化するように構成される、Ｃ１１に記載の装置。
[Ｃ２０]  前記プロセッサは、１つまたは複数のパラメータの前記表示を、１つまたは複数のシンタックス要素を前記ビットストリームから復号することによって決定するように構成されたビデオデコーダを備え、ここにおいて、ビデオ情報をコーディングすることが、前記ビデオ情報を復号することを備え、ここにおいて、前記プロセッサが、前記ビデオ情報を復号するように構成される、Ｃ１１に記載の装置。
[Ｃ２１]  実行されたとき、装置に、
参照レイヤがビットストリームの中に含まれるかどうかを決定することと、
復号ピクチャバッファのための１つまたは複数のパラメータの表示を、前記参照レイヤが前記ビットストリームの中に含まれるかどうかに基づいて決定することと、
前記復号ピクチャバッファのための前記１つまたは複数のパラメータの前記決定された表示に少なくとも部分的に基づいて、前記ビデオ情報をコーディングすることと
を備えるプロセスを実行させるコードを備える非一時的コンピュータ可読媒体。
[Ｃ２２]  前記参照レイヤが、非ＨＥＶＣ（高効率ビデオコーディング）コーデックまたはアドバンストビデオコーディング（ＡＶＣ）コーデックのうちの少なくとも１つにおいてコーディングされる、Ｃ２１に記載の非一時的コンピュータ可読媒体。
[Ｃ２３]  実行されたとき、前記装置に、前記参照レイヤが前記ビットストリームの中に含まれないかどうかを、ビデオパラメータセット、シーケンスパラメータセット、ピクチャパラメータセット、または適応パラメータセットのうちの１つの中に含まれる値に基づいて決定することを介して、前記参照レイヤが前記ビットストリームの中に含まれるかどうかを決定させるコードをさらに備えるＣ２１に記載の非一時的コンピュータ可読媒体。
[Ｃ２４]  前記１つまたは複数のパラメータが、復号されるべき最上位の時間サブレイヤ用の前記復号ピクチャバッファの最大サイズをシグナリングするパラメータ、最大レイテンシをシグナリングするパラメータ、または出力ピクチャの最大リオーダーをシグナリングするパラメータを備える、Ｃ２１に記載の非一時的コンピュータ可読媒体。
[Ｃ２５]  ビデオ情報をコーディングするように構成されたビデオコーディングデバイスであって、
参照レイヤがビットストリームの中に含まれるかどうかを決定するための手段と、
復号ピクチャバッファのための１つまたは複数のパラメータの表示を、前記参照レイヤが前記ビットストリームの中に含まれるかどうかに基づいて決定するための手段と、
前記復号ピクチャバッファのための前記１つまたは複数のパラメータの前記決定された表示に少なくとも部分的に基づいて、前記ビデオ情報をコーディングするための手段と
を備えるビデオコーディングデバイス。
[Ｃ２６]  前記参照レイヤが、非ＨＥＶＣ（高効率ビデオコーディング）コーデックおよびアドバンストビデオコーディング（ＡＶＣ）コーデックのうちの少なくとも１つにおいてコーディングされる、Ｃ２５に記載のビデオコーディングデバイス。
[Ｃ２７]  前記参照レイヤが前記ビットストリームの中に含まれるかどうかを決定するための手段は、前記参照レイヤが前記ビットストリームの中に含まれないかどうかを、ビデオパラメータセット、シーケンスパラメータセット、ピクチャパラメータセット、または適応パラメータセットのうちの１つの中に含まれる値に基づいて決定するための手段を備える、Ｃ２５に記載のビデオコーディングデバイス。
[Ｃ２８]  前記１つまたは複数のパラメータが、最上位の時間サブレイヤ用の前記復号ピクチャバッファの最大サイズをシグナリングするパラメータ、最大レイテンシをシグナリングするパラメータ、または出力ピクチャの最大リオーダーをシグナリングするパラメータを備える、Ｃ２５に記載のビデオコーディングデバイス。